(57)【要約】【課題】滑らかに伸縮し、切削カス等を生じ難いレンズ鏡筒の伸縮機構を得る。【解決手段】重畳配置された、光軸方向に相対移動して伸縮する前部レンズ鏡筒及び後部レンズ鏡筒を備え、前記内側の後部レンズ鏡筒に回転自在に軸支されたガイドローラと、前部レンズ鏡筒及び後部レンズ鏡筒が伸縮移動する際に、ガイドローラが転動して前部レンズ鏡筒及び後部レンズ鏡筒を直進案内する、外側の前部レンズ鏡筒内面に光軸と平行に設けた、断面Ｖ字形の直進ガイド溝とを備えた。【選択図】図２
2011154284.tif 000002
【特許請求の範囲】
【請求項１】
重畳配置された、光軸方向に相対移動して伸縮する前部鏡筒及び後部鏡筒を備え、
前記前部鏡筒及び後部鏡筒の対向する鏡筒部分の一方に回転自在に軸支された回転部材と、
前記前部鏡筒及び後部鏡筒が伸縮移動する際に前記回転部材が転動して前記前部鏡筒及び後部鏡筒を直進案内する、前記他方の鏡筒に光軸と平行に設けられた直進案内部材とを備えたことを特徴とするレンズ鏡筒の伸縮機構。
【請求項２】
請求項１記載のレンズ鏡筒の伸縮機構において、前記直進案内部材は、断面Ｖ字形をなす直進案内溝であるレンズ鏡筒の伸縮機構。
【請求項３】
請求項２記載のレンズ鏡筒の伸縮機構において、前記回転部材は、前記断面Ｖ字形をなす直進案内溝の両傾斜面に当接して転動する転動面を備えたガイドローラであるレンズ鏡筒の伸縮機構。
【請求項４】
請求項３記載のレンズ鏡筒の伸縮機構において、前記ガイドローラは内側の鏡筒に軸支され、前記断面Ｖ字形をなす直進案内溝が外側の鏡筒の内面に形成されているレンズ鏡筒の伸縮機構。
【請求項５】
請求項３又は４記載のレンズ鏡筒の伸縮機構において、前記ガイドローラは、前記転動面が直進案内溝の両傾斜面に当接し、最外周部が前記直進案内溝及び前記軸支された鏡筒の何れにも非接触となるように形成されているレンズ鏡筒の伸縮機構。
【請求項６】
請求項１乃至５のいずれか一項記載のレンズ鏡筒の伸縮機構において、前記回転部材及び直進案内溝は、光軸に対して半径方向等角度で３組形成されているレンズ鏡筒の伸縮機構。
【発明の詳細な説明】
【技術分野】
【０００１】
本発明は、レンズ鏡筒に係り、特に、沈胴可能なレンズ鏡筒の伸縮機構に関するものである。
【背景技術】
【０００２】
従来、一眼レフカメラ用の交換レンズにおいて、超望遠レンズ等のレンズ鏡筒は、非撮影時には光軸方向の全長を短くし、使用時に光軸方向に引き伸ばして全長を長くすることで、レンズ鏡筒の携帯性を向上させたものが知られている。例えば、光学系の後群レンズを保持する後群レンズ保持筒と、前記光学系の前群レンズを保持し、前記後群レンズ保持筒に対して光軸方向に移動可能な前群レンズ保持筒とを備え、前記前群レンズ保持筒と前記後群レンズ保持筒とを、前記光学系が撮影可能な使用状態となる伸長位置、及び光軸方向の全長が短くなった短縮位置において固定部材により固定するものがある（特許文献１）。
【先行技術文献】
【特許文献】
【０００３】
【特許文献１】特開平０９−４３６５５号公報
【発明の概要】
【発明が解決しようとする課題】
【０００４】
しかし、従来のレンズ鏡筒は、前群レンズ保持筒と後群レンズ保持筒を伸縮させる際に、保持筒の内周面と外周面とが擦動するため、擦動抵抗が大きく、伸縮が滑らかではなかった。さらに保持筒表面が傷つき、削りカスを生じるおそれがあった。特に、撮影光路に面する鏡筒内面は、反射防止加工が施されるので、この鏡筒内面を擦動することは好ましくなかった。削りカスを生じると、削りカスが保持筒内に散乱し、レンズに付着して光学性能を損なうおそれがあった。また、従来のレンズ鏡筒の固定部材は、固定時には穴部に挿入し、伸縮の際には穴部から脱出させるクランプであるため、レンズ保持筒を伸縮する際に、クランプがレンズ保持筒表面を擦動して削りカスなどを生じるおそれがあった。
【０００５】
本発明は従来の課題に鑑みてなされたものであって、レンズ鏡筒の伸縮が滑らかであり、切削カス等を生じ難いレンズ鏡筒の伸縮機構を得ることを目的とする。
【課題を解決するための手段】
【０００６】
かかる目的を達する本発明のレンズ鏡筒の伸縮機構は、重畳配置された、光軸方向に相対移動して伸縮する前部鏡筒及び後部鏡筒を備え、前記前部鏡筒及び後部鏡筒の対向する鏡筒の一方に回転自在に軸支された回転部材と、前記前部鏡筒及び後部鏡筒が伸縮移動する際に前記回転部材が転動して前記前部鏡筒及び後部鏡筒を直進案内する、前記他方の鏡筒に光軸と平行に設けられた直進案内部材とを備えたことに特徴を有する。
【０００７】
前記直進案内部材は、断面Ｖ字形をなす直進案内溝とすることが好ましい。そうして前記回転部材は、前記断面Ｖ字形をなす直進案内溝の両傾斜面に当接して転動する転動面を備えたガイドローラで形成することが実際的である。
【０００８】
前記ガイドローラは、前記転動面が直進案内溝の両傾斜面に当接し、最外周部が前記直進案内溝及び前記軸支された鏡筒の何れにも非接触となるように形成する。
前記回転部材及び直進案内溝は、光軸に対して半径方向等角度で３組形成することが好ましい。
【発明の効果】
【０００９】
本発明はこの構成により、前部鏡筒及び後部鏡筒を伸縮させる際に、回転部材が直進案内部材により転動しながら直進案内されるので、直進案内部材以外に擦動する部分が無くなり、伸縮によるゴミ、削りカス等の発生を軽減することができる。
【図面の簡単な説明】
【００１０】
【図１】本発明の伸縮機構を適用したレンズ鏡筒の実施形態を伸長してロックした使用状態を光軸で縦断して上半分を示す縦断面図である。
【図２】同レンズ鏡筒の伸縮機構及びその周辺の拡大図であって、（Ａ）は縦断面図、（Ｂ）はガイドローラ部分を示した平面図である。
【図３】同レンズ鏡筒の伸縮機構のガイドローラ部分を、図２（Ａ）の矢視切断線IIIの位置で図示部分を横断して拡大して示した断面図である。
【図４】図２（Ａ）の矢視切断線IIIの位置で鏡筒を横断して示した断面図である。
【図５】図２（Ａ）の矢視切断線Ｖに沿った位置で鏡筒を横断して示した断面図である。
【図６】図２（Ａ）の矢視切断線Ｖに沿った位置でレンズ鏡筒を横断して、環状操作部材がロック解除伸縮可能位置にある状態を示した断面図である。
【図７】同レンズ鏡筒の伸縮機構のガイドローラ部分を、伸長状態におけるロック解除伸縮可能位置で拡大して示した縦断面図である。
【図８】同レンズ鏡筒の伸縮機構のガイドローラ部を、短縮状態におけるロック解除伸縮可能位置で拡大して示した縦断面図である。
【図９】同レンズ鏡筒の伸縮機構のガイドローラ部を、短縮状態におけるロック位置で拡大して示した縦断面図である。
【図１０】同レンズ鏡筒を、図８の矢視切断線Ｘの位置で横断した断面図である。
【図１１】同レンズ鏡筒を、図８の矢視切断線XIの位置で横断した断面図である。
【図１２】同レンズ鏡筒を、図８の矢視切断線XIIの位置で横断した断面図である。
【図１３】同レンズ鏡筒の伸縮機構におけるシールド構造の別の実施例を図７同様にロック解除伸縮可能位置において縦断した拡大縦断面図である。
【図１４】同レンズ鏡筒の伸縮機構におけるシールド構造の別の実施例を図２（Ａ）同様にロック位置において縦断した拡大縦断面図である。
【発明を実施するための形態】
【００１１】
以下本発明の実施形態について、添付の図面を参照して詳細に説明する。図１は、本発明を一眼レフカメラ用の交換レンズに適用した実施形態であって、前部レンズ鏡筒及び後部レンズ鏡筒を備えたレンズ鏡筒を伸長し、光軸で縦断して光軸から上半分を示す縦断面図、図２（Ａ）は前部レンズ鏡筒及び後部レンズ鏡筒の接続部の拡大縦断面図、（Ｂ）はガイドローラ部分の平面図である。
【００１２】
このレンズ鏡筒は、前群レンズＬ１を保持する前部レンズ鏡筒１１と、後部レンズ鏡筒２１とを備えている。後部レンズ鏡筒２１は、詳細は図示しないが、内部に後群レンズなど他のレンズ群及び絞り装置を保持し、後端部にカメラボディに着脱自在に装着するためのマウントを備え、さらに焦点調節機構など、撮影レンズとして必要な機構、機能を備えている。
【００１３】
前部レンズ鏡筒１１の先端部には前群レンズＬ１を保持したレンズ枠１３が装着されている。さらに前部レンズ鏡筒１１の後端部には全周に亘って内方に延びた、縦断面Ｌ字形の後端フランジ部１２を備えている。この後端フランジ部１２には、内周端から光軸Ｏと平行に後方に延びた環状（円筒）部分の外周面に、外周面を周回形成された、断面方形の凸部を有する環状凸部１２ａが形成されている。さらに後端フランジ部１２には、光軸Ｏと直交する方向に伸びた端壁部分を光軸Ｏと平行な方向に貫通した通気孔１２ｂが１個形成されている（図５参照）。
【００１４】
前部レンズ鏡筒１１の内周面には、直進案内部材として、光軸Ｏと平行に延びる横断面Ｖ字形の直進ガイドＶ溝１１ａが３本、円周方向に等間隔で形成されている（図３、図４参照）。これらの直進ガイドＶ溝１１ａは、前部レンズ鏡筒１１の前端から、後端フランジ部１２まで延びている。
【００１５】
後部レンズ鏡筒２１の前端部には、外周面から全周に亘って延びた前端フランジ部２２が形成されている。前端フランジ部２２の外径（外周面の径）は、前部レンズ鏡筒１１の内径よりもやや小さく、前部レンズ鏡筒１１の内周面に接触しないように形成されている。前端フランジ部２２の外周面には、光軸Ｏに対して半径方向等角度間隔（同一円周方向等間隔）で３箇所に、ローラ収容凹部２２ａ及びローラ収容凹部２２ａの両端部から延びるハーフパイプ状のローラ軸受部２２ｂが形成されている（図３、図４参照）。各ローラ軸受部２２ｂの中心線は、ローラ軸受部２２ｂの軸方向中点及び光軸Ｏを通る平面と直交する方向に設定されている。このローラ収容凹部２２ａにはガイドローラ３１が収納され、ガイドローラ３１のローラ軸３３がローラ軸受部２２ｂに回動自在に支持される。
【００１６】
ガイドローラ３１は、ローラ３２と、このローラ３２の中心を貫通したローラ軸３３を備えている。ローラ３２は、正面視、外周面３２aに向かって幅狭となる転動面３２ｂを備え、ローラ軸３３の周辺は平坦な側面３２ｃになっている。ローラ３２は樹脂製、ローラ軸３３は金属製が好ましい。
【００１７】
ガイドローラ３１は、ローラ３２がローラ収容凹部２２ａに収納され、ローラ軸３３がローラ軸受部２２ｂに乗せられる。この装着状態においてローラ３２は、外周面３２ａとローラ収容凹部２２ａの底面との間は隙間があって非接触状態であるが、ローラ３２の側面３２ｃはローラ収容凹部２２ａの側面に接触して軸方向の移動が規制されている。なお、ローラ軸３３の両端部がローラ軸受部２２ｂの端面に接触して軸方向移動を規制し、ローラ３２の側面３２ｃとローラ収容凹部２２ａの側面とが非接触となるように形成してもよい。
【００１８】
後部レンズ鏡筒２１には、前端フランジ部２２の近傍外周面にＯリング溝２１ａが形成されていて、このＯリング溝２１ａに、Ｏリング２３が嵌合されている（図２（Ａ））。このＯリング２３は、前部レンズ鏡筒１１及び後部レンズ鏡筒２１が最も引き伸ばされた使用状態において、後端フランジ部１２の円筒部分内周面（密着面）１２ｃに密着して、前部レンズ鏡筒１１と後部レンズ鏡筒２１が重複する部分の隙間をシールしている。重なり合う部分（重畳部分）の隙間を防滴防塵シールしている。また、このＯリング２３及び円筒部分内周面１２ｃは、レンズ鏡筒１１、２１が使用位置から沈胴方向（短縮方向）間において相対移動する所定区間において、防滴状態を維持して互いに擦動する。
なお、図示実施形態ではＯリング２３を後部レンズ鏡筒２１の外周に装着したが、前部レンズ鏡筒１１の円筒部分内周面１２ｃにＯリングを装着してもよい。
【００１９】
前部レンズ鏡筒１１の後端フランジ部１２には、環状操作部材としての回転操作環４１が嵌合連結されている。回転操作環４１の内周面には嵌合溝４１ａが形成されていて、この嵌合溝４１ａが、後端フランジ部１２の円筒部外周面の環状凸部１２ａに嵌合している。これらの環状凸部１２ａと嵌合溝４１ａとの嵌合により回転操作環４１は前部レンズ鏡筒１１に対して、軸方向移動が規制された状態で光軸Ｏ回りに相対回動自在に連結されている。
【００２０】
回転操作環４１には、後端フランジ部１２の端壁部分の対向面１２ｄと対向する対向面にシール部材収容孔４１ｂが形成され、そのシール部材収容孔４１ｂに弾性シール部材４２が挿入されている。シール部材収容孔４１ｂは、回転操作環４１がロック位置にあるときに通気孔１２ｂと対向する位置に配置されていて、シール部材収容孔４１ｂが通気孔１２ｂと対向するときに弾性シール部材４２が通気孔１２ｂを塞いで、レンズ鏡筒内１０を密閉する（図５参照）。又、この弾性シール部材４２は、シール部材収容孔４１ｂが通気孔１２ｂと対向しなくなったときに、通気孔１２ｂを開放して、レンズ鏡筒内１０と外気とを連通させる。
【００２１】
回転操作環４１にはさらに、通気孔１２ｂと対向する対向面に通気路として通気用溝部４１ｃが形成されている（図６参照）。この通気用溝部４１ｃは、回転操作環４１がロック位置から回転してシール部材収容孔４１ｂが通気孔１２ｂから離れ、ロック解除伸縮可能位置（伸縮可能位置）まで回転したときに通気孔１２ｂと連通し得る位置に形成されている（図６参照）。この通気用溝部４１ｃは、回転操作環４１と前部レンズ鏡筒１１との間に隙間を形成していて、回転操作環４１がロック解除伸縮可能位置まで回転したときに通気孔１２ｂと外気を連通する連通路を形成する（図７参照）。
【００２２】
さらに回転操作環４１には、回転操作環４１を直径方向に貫通したクランプロックバー４３が装着されている。このクランプロックバー４３は、回転操作環４１を貫通した軸部４３ａと、回転操作環４１の外方に突出した軸部４３ａに固定された大径の操作ノブ４３ｂを備えている。軸部４３ａの先端部には先端角部が面取りされた傾斜面４３ｃが形成されていて、先端部平坦面に形成された孔に、弾性摩擦部材４４が挿入されている。軸部４３ａは、その先端部の傾斜面４３ｃが、後部レンズ鏡筒２１の外周面に突設されたロックガイド凸部２１ｂの傾斜面２１ｄに接触して、後部レンズ鏡筒２１と前部レンズ鏡筒１１とを伸長位置にロック（係止）することができる。
【００２３】
以上の構成からなる前部レンズ鏡筒１１及び後部レンズ鏡筒２１は、以下のように組み立てられる。後部レンズ鏡筒２１の各ローラ収容凹部２２ａにガイドローラ３１が装着された状態で、前部レンズ鏡筒１１内に前方から挿入される。その際ガイドローラ３１は直進ガイドＶ溝１１ａに嵌合され、前部レンズ鏡筒１１と後部レンズ鏡筒２１との相対移動に従って、前部、後部レンズ鏡筒１１、２１の半径方向の間隔を一定に保って、直進ガイドＶ溝１１ａ内を転動する。なお、レンズ枠１３は、前部レンズ鏡筒１１に後部レンズ鏡筒２１を装着した後に固定される。
【００２４】
直進ガイドＶ溝１１ａに嵌合されたガイドローラ３１のローラ３２は、外周面３２ａは直進ガイドＶ溝１１ａの底面にもローラ収容凹部２２ａの底面のいずれにも接触せず、側面３２ｃがローラ収容凹部２２ａの端面に接触して軸方向移動が規制された状態で、転動面３２ｂが直進ガイドＶ溝１１ａの斜面に接触して転動する。
【００２５】
このように前部レンズ鏡筒１１及び後部レンズ鏡筒２１は、前部レンズ鏡筒１１及び後部レンズ鏡筒２１間に設けた、光軸Ｏを中心に円周方向に等角度間隔で設けられたガイドローラ３１と直進ガイドＶ溝１１ａにより光軸Ｏを中心とした放射方向、半径方向の力により支持されるので、伸縮移動する際の軸ズレ、軸ブレが小さい。
【００２６】
「伸縮動作」
前部レンズ鏡筒１１及び後部レンズ鏡筒２１を、伸縮させる機構及び動作、並びに伸縮状態でロックし、伸縮させるためにロック解除する機構及び動作についてさらに詳細に説明する。この実施形態は、回転操作環４１を回動させることにより、ロック／ロック解除する構成である。
【００２７】
回転操作環４１は、前部レンズ鏡筒１１の後端部に、光軸Ｏ回りに所定角度範囲で回動自在に連結されている。前部レンズ鏡筒１１及び後部レンズ鏡筒２１が最も伸長された状態において回転操作環４１をロック方向に回転させると、回転操作環４１の内周に形成された傾斜面がロックガイド凸部２１ｂの傾斜面２１ｄと擦動しながら回転し、ロック位置で回転が規制される。そうしてこのロック位置において、クランプロックバー４３をロック方向に回転させると、軸部４３ａの傾斜面４３ｃがロックガイド凸部２１ｂの傾斜面２１ｄに当接して、回転操作環４１を、後部レンズ鏡筒２１に対して回転しないようにロック（係止）する。回転規制部材としてこの実施形態では、後端フランジ部１２の径方向壁を貫通した回転規制ピン１５と、回転規制ピン１５の先端部が挿入された、回転操作環４１の対向面に形成した円弧条凹溝４１ｅとを備えている。そして回転操作環４１は、この回転規制ピン１５が円弧状凹溝４１ｅの円弧方向の何れかの端面に当接することによって、ロック位置又はロック解除伸縮可能位置において回転規制される（図８乃至図１０、図１２）。
【００２８】
このロック位置では、後端フランジ部１２と前端フランジ部２２とが当接してそれ以上の伸長が規制され、さらに軸部４３ａの傾斜面４３ｃがロックガイド凸部２１ｂの傾斜面２１ｄに当接して、前部レンズ鏡筒１１及び後部レンズ鏡筒２１が伸長方向に付勢されると共に、短縮方向移動が規制されている。
【００２９】
さらにこのロック位置では、前部レンズ鏡筒１１と後部レンズ鏡筒２１の重複部分の隙間はＯリング２３により閉塞され、通気孔１２ｂが弾性シール部材４２により閉塞されて、レンズ鏡筒内１０が密閉されている。
【００３０】
ロックガイド凸部２１ｂにはさらに、ロック位置において前部レンズ鏡筒１１と後部レンズ鏡筒２１とを最も伸長する方向に付勢して、後端フランジ部１２と前端フランジ部２２とをより強く密着できるように、ロック解除伸縮可能位置からロック位置に向かって前端フランジ部２２との間隔が狭くなるように僅かなリードを付けることが好ましい。
【００３１】
前部レンズ鏡筒１１と後部レンズ鏡筒２１を短縮させるときは、クランプロックバー４３を緩め方向に回転させて軸部４３ｂの傾斜面４３ｃをロックガイド凸部２１ｂの傾斜面２１ｄから離反させてから、回転操作環４１をロック位置からロック解除伸縮可能位置まで回転させる。回転操作環４１をロック解除方向に回転させると、回転過程で、弾性シール部材４２が通気孔１２ｂから外れ、ロック解除伸縮可能位置まで回転させると、クランプロックバー４３がロックガイド凸部２１ｂから外れ、通気孔１２ｂには通気用溝部４１ｃが対向する（図７）。したがってこのロック解除伸縮可能位置では、後部レンズ鏡筒２１と前部レンズ鏡筒１１とは相対移動自在になり、後部レンズ鏡筒２１を前部レンズ鏡筒１１内に押し込んで、鏡筒全長を縮めることができる。
【００３２】
鏡筒全長を縮める際、後部レンズ鏡筒２１の前端部は前部レンズ鏡筒１１に対して、３組の直進ガイドＶ溝１１ａ内を転動するガイドローラ３１によって直進ガイドされるので、鏡筒内面を擦動することがなく、滑らかに、かつ軸ブレし難い状態で伸縮ガイドされる。この伸縮ガイド作用は、鏡筒全長を伸ばす際も同様である。
【００３３】
前部レンズ鏡筒１１の方が後部レンズ鏡筒２１よりも大径の実施形態を示したが、本発明は大小関係が逆の場合も適用できる。直進案内部材として前部レンズ鏡筒１１の内面に凹部となる直進ガイドＶ溝１１ａを形成したが、内面に凸部を形成してこの凸部に直進ガイドＶ溝を形成してもよく、内面に２本のレールを平行に形成して、ガイドローラ３１の両転動面３２ｂがこの２本のレール間に落ち込み、両転動面３２ｂがレールに接触するように形成してもよい。
【００３４】
また、後部レンズ鏡筒２１を前部レンズ鏡筒１１内に押し込む際、レンズ鏡筒内１０は通気孔１２ｂ及び通気用溝部４１ｃにより形成された連通路によって外気と連通するので、レンズ鏡筒内１０の容積縮小に伴い圧力が高まると、レンズ鏡筒内１０の空気は、この連通路を介して外気に排出される。さらに後部レンズ鏡筒２１が前部レンズ鏡筒１１に押し込まれると、Ｏリング２３が後端フランジ部１２から外れて、前部レンズ鏡筒１１と後部レンズ鏡筒２１間の密閉が解除され、レンズ鏡筒１０内と外気とが連通する。以後、レンズ鏡筒内１０の空気は、前部レンズ鏡筒１１と後部レンズ鏡筒２１の伸縮移動に従って、後端フランジ部１２と後部レンズ鏡筒２１との間の環状の隙間から抜ける。
【００３５】
なお、後端フランジ部１２の内周面は、後部レンズ鏡筒２１の外周面と擦動して、前部、後部レンズ鏡筒１１、２１の軸方向の傾きを防止する。
また、短縮状態の前部レンズ鏡筒１１と後部レンズ鏡筒２１を伸長させる際には、レンズ鏡筒内１０内の容積拡大に伴い圧力が下がるので、外気が前記環状の隙間及び前記連通路（通気用溝部４１ｃ及び通気孔１２ｂ）を介してレンズ鏡筒内１０に流入し、外気とほぼ等圧状態を維持する。
【００３６】
後部レンズ鏡筒２１が前部レンズ鏡筒１１内に最短縮位置まで挿入されると、後部レンズ鏡筒２１の先端部が前部レンズ鏡筒１１内に設けられたストッパに当接して、又は前部レンズ鏡筒１１の後端部或いは回転操作環４１の後端部が後部レンズ鏡筒２１の後端部外周に形成されたストッパに当接して、縮退移動が終了する。
【００３７】
この最短縮位置でクランプロックバー４３を締め込む（ロック方向に回転させる）ことにより、軸部４３ａの先端部が後部レンズ鏡筒２１の表面に形成されたロック凹溝２１ｃに入り込み（図９）、前部レンズ鏡筒１１、後部レンズ鏡筒２１の伸縮運動がロックされる。又、最短縮位置において回転操作環４１がロック位置方向に回転されると、軸部４３ａがロック凸部等に係合して前部、後部レンズ鏡筒１１、２１の相対進退移動が阻止され、軸部４３ａの先端部がロック溝等に係合して、ロックされる構造にしてもよい。
【００３８】
「通気孔開閉機構」
通気孔１２ｂを開閉するシール部材の第2実施例について、図１３及び図１４を参照して説明する。図１３はロック解除伸縮可能位置を、図１４はロック位置を示している。第１実施例の弾性シール部材４２は、回転操作環４１が回転操作される際に後端フランジ部１２を擦動する。そこで第２実施例は、通気孔１２ｂを開閉するシール部材として作用し、回転操作環４１が回転操作される際に後端フランジ部１２の対向面１２ｄを転動する球部材５１を設けた。
【００３９】
この球部材５１は、通気孔１２ｂの直径よりも大径の球体であって、シール部材収容孔４１ｄ内に挿入された玉受け筒５２に回動自在に支持されている。玉受け筒５２は、球部材５１を回動自在に収容する玉受け部５２ａとコイルばね５３が収容されるガイド部５２ｂを有し、このガイド部５２ｂに収容されたコイルばね５３の付勢力によって、球部材５１をシール部材収容孔４１ｄから押し出す方向に弾性付勢されている。このコイルばね５３の付勢力によって球部材５１は、後端フランジ部１２の対向面１２ｄに弾性的に押しつけられている。
【００４０】
玉受け筒５２の玉受け部５２ａには、弾性シール筒５４が嵌合されている。この弾性シール筒５４は、球部材５１が対向面２３ｄに接触したロック解除伸縮可能位置では対向面１２ｄから離反している。この状態では通気孔１２ｂが開放されている。
【００４１】
ここで回転操作環４１がロック位置方向に回転すると球部材５１は、後端フランジ部１２に接触した状態で転動し、弾性シール筒５４は対向面１２ｄから離反した非接触状態を維持している。回転操作環４１がロック位置まで回転すると、球部材５１が通気孔１２ｂに落ち込み、玉受け筒５２がコイルばね５３の付勢力により対向面１２ｄに向かって突出するので、弾性シール筒５４が通気孔１２ｂの外周に接触して通気孔１２ｂを密閉する。球部材５１も通気孔１２ｂに嵌っているので、球部材５１と弾性シール筒５４とで二重に通気孔１２ｂを塞ぐことができる。
【００４２】
また、回転操作環４１がロック位置に達すると球部材５１が通気孔１２に落ち込むので、これはクリックストップ機構として機能し、回転操作環４１がロック位置に達したときのクリック感を発生させることができる。また、通気孔１２ｂが閉鎖されたことを感覚的に知ることができる。
【００４３】
回転操作環４１がロック解除及び伸縮許容位置方向に回転すると、球部材５１は通気孔１２ｂから出て、弾性シール筒５４は対向面１２ｄから離反して通気孔１２ｂを開放し、球部材５１が対向面１２ｄを転動して、ロック解除伸縮可能位置に至る。なお、対向面１２ｄに、ロック解除伸縮可能位置において球部材５１が落ち込み凹部を形成して、クリック感を発生させることもできる。
【００４４】
このように第２実施例によると、回動操作環４１を回転させた際に球部材５１が転動するので抵抗が小さくかつ一定なので、球部材５１の摩耗が少なくて耐久性がよくなり、さらに滑らかな回転操作感が得られる。
【符号の説明】
【００４５】
１１  前部レンズ鏡筒
１１ａ  直進ガイドＶ溝
１２  後端フランジ部
１２ａ  環状凸部
１２ｂ  通気孔
１２ｃ  内周面
１２ｄ  対向面
１３  レンズ枠
２１  後部レンズ鏡筒
２２  前端フランジ部
２２ａ  ローラ収容凹部
２２ｂ  ローラ軸受部
２１ａ  Ｏリング溝
２１ｂ  ロックガイド凸部
２３  Ｏリング
３１  ガイドローラ
３２  ローラ
３２ａ  外周面
３２ｂ  転動面
３２ｃ  側面
３３  ローラ軸
４１  回転操作環
４１ａ  嵌合溝
４１ｂ  シール部材収容孔
４１ｃ  通気用溝部
４３  クランプロックバー
４３ａ  軸部
５１  球部材
【図１】
2011154284.tif 000003
【図２】
2011154284.tif 000004
【図３】
2011154284.tif 000005
【図４】
2011154284.tif 000006
【図５】
2011154284.tif 000007
【図６】
2011154284.tif 000008
【図７】
2011154284.tif 000009
【図８】
2011154284.tif 000010
【図９】
2011154284.tif 000011
【図１０】
2011154284.tif 000012
【図１１】
2011154284.tif 000013
【図１２】
2011154284.tif 000014
【図１３】
2011154284.tif 000015
【図１４】
2011154284.tif 000016